(57)【要約】【課題】表示装置の備える通信部の消費電力を抑えることができる表示装置、表示プログラム、及び表示制御方法を提供する。【解決手段】コンテンツデータを取得して表示する表示装置は、取得したコンテンツデータを記憶する記憶手段と、コンテンツデータの表示要求を受信する受信手段と、表示要求されたコンテンツデータが前記記憶手段に記憶されているか否かを判断する判断手段と、表示要求されたコンテンツデータが前記記憶手段に記憶されている場合、外部からコンテンツデータを取得する通信部の電源をオフ又はセーブする電源制御手段とを有する。【選択図】図３
2016004546.tif 000002
【特許請求の範囲】
【請求項１】
コンテンツデータを取得して表示する表示装置であって、
取得したコンテンツデータを記憶する記憶手段と、
コンテンツデータの表示要求を受信する受信手段と、
表示要求されたコンテンツデータが前記記憶手段に記憶されているか否かを判断する判断手段と、
表示要求されたコンテンツデータが前記記憶手段に記憶されている場合、外部からコンテンツデータを取得する通信部の電源をオフ又はセーブする電源制御手段と
を有する、表示装置。
【請求項２】
表示するコンテンツデータが前記記憶手段に記憶されていない場合に、コンテンツデータのデータ容量に基づいて、該コンテンツデータを記憶するか否かを判定する判定手段を更に有する、請求項１記載の表示装置。
【請求項３】
取得したコンテンツデータの画素サイズが当該表示装置の画素サイズを超える場合、前記コンテンツデータの画素サイズを縮小する縮小手段を更に有し、
前記記憶手段は、前記縮小手段によって縮小されたコンテンツデータを記憶する、請求項１記載の表示装置。
【請求項４】
前記縮小手段は、取得したコンテンツデータの画素サイズが当該表示装置の画素サイズを超える場合、前記コンテンツデータの画素サイズを当該表示装置の画素サイズにあわせる、請求項３記載の表示装置。
【請求項５】
コンテンツデータが動画である場合、取得したコンテンツデータのフレームレートを下げて記憶する、請求項１記載の表示装置。
【請求項６】
外部又は前記記憶手段から表示させるコンテンツデータを取得する場合、ＵＲＬ情報に基づいて、コンテンツデータを取得する取得手段を更に有する、請求項１乃至５いずれか一項記載の表示装置。
【請求項７】
前記電源制御手段は、前記コンテンツデータの再生時間に基づいて、外部からコンテンツデータを取得する通信部の電源をオフするかセーブするかを判断する、請求項１記載の表示装置。
【請求項８】
コンテンツデータを取得して表示する表示プログラムであって、
コンピュータに
取得したコンテンツデータを記憶するステップ、
コンテンツデータの表示要求を受信するステップ、
表示要求されたコンテンツデータが記憶されているか否かを判断するステップ、
表示要求されたコンテンツデータが記憶されている場合、外部からコンテンツデータを取得する通信部の電源をオフ又はセーブするステップ
を実行させるための表示プログラム。
【請求項９】
表示装置と、サーバと、情報処理装置とを有する表示システムであって、
取得したコンテンツデータを記憶する記憶手段と、
前記情報処理装置からコンテンツデータの表示要求を受信する受信手段と、
表示要求されたコンテンツデータが前記記憶手段に記憶されているか否かを判断する判断手段と、
表示要求されたコンテンツデータが前記記憶手段に記憶されている場合、前記情報処理装置又は前記サーバからコンテンツデータを取得する通信部の電源をオフ又はセーブする電源制御手段と
を有する、表示システム。
【発明の詳細な説明】
【技術分野】
【０００１】
本発明は、表示装置、表示プログラム、及び表示制御方法に関する。
【背景技術】
【０００２】
無線ＬＡＮネットワークを介して外部装置と通信可能な表示装置は、表示機能時に加え、通信時にも電力を消費する。
【０００３】
画像データなどの表示を行わない待機時に省エネモードへ移行させ、装置全体の消費電力を抑制する技術が既に知られている。例えば、待機状態になってからの経過時間に応じて、段階的に消費電力を抑制する技術が既に知られている（例えば、特許文献１等を参照）。
【発明の概要】
【発明が解決しようとする課題】
【０００４】
上述した従来技術では、待機状態になった場合、装置全体を消費電力を抑制した状態に遷移させることができる。
【０００５】
しかしながら、通信機能を備えた表示装置は、表示させるデータの送受信を頻繁に行うため、通信部の消費電力を制限することができないという問題があった。
【０００６】
本発明は、上記の従来の問題点に鑑み提案されたものであり、その目的とするところは、表示装置の備える通信部の消費電力を抑えることができる表示装置、表示プログラム、及び表示制御方法を提供することにある。
【課題を解決するための手段】
【０００７】
上記目的を達成するため、例えば、コンテンツデータを取得して表示する表示装置は、取得したコンテンツデータを記憶する記憶手段と、コンテンツデータの表示要求を受信する受信手段と、表示要求されたコンテンツデータが前記記憶手段に記憶されているか否かを判断する判断手段と、表示要求されたコンテンツデータが前記記憶手段に記憶されている場合、外部からコンテンツデータを取得する通信部の電源をオフ又はセーブする電源制御手段とを有する。
【発明の効果】
【０００８】
本発明の一側面にあっては、表示装置の備える通信部の消費電力を抑えることができる。
【図面の簡単な説明】
【０００９】
【図１】本実施形態における表示システムのシステム構成例を示す図である。
【図２】本実施形態における表示装置のハードウエア構成例を示す図である。
【図３】本実施形態における表示装置の機能構成例を示す図である。
【図４】本実施形態における表示要求のデータ構成例である。
【図５】本実施形態におけるコンテンツデータ記憶部に記憶されているコンテンツデータに関する情報のデータ構成例を示す図である。
【図６】本実施形態における表示装置が実行するコンテンツデータの取得処理の手順例を示すフローチャートである。
【図７】コンテンツデータがコンテンツデータ記憶部に保持されている場合における、情報処理装置から表示要求を受信してから、表示装置が表示部にてコンテンツデータを表示するまでの流れを示すシーケンスである。
【図８】本実施形態における複数のコンテンツデータの表示が要求されている場合における、コンテンツデータの取得処理の手順例を示すフローチャートである。
【図９】表示装置が実行する割り込み要求の確認処理の手順例を示すフローチャートである。
【図１０】本実施形態における取得したコンテンツデータを保存するか否かの判断処理の手順例を示すフローチャートである。
【発明を実施するための形態】
【００１０】
以下、本発明の好適な実施形態について説明する。
【００１１】
＜システム構成＞
図１は本実施形態における表示システム１のシステム構成例を示す図である。表示システム１では、表示装置２、情報処理装置３、及びサーバ４がネットワークＮを介して接続される。
【００１２】
表示装置２は情報処理装置３からのコンテンツデータの表示要求にしたがって、コンテンツデータを取得し、表示する。表示装置２は、表示が要求されているコンテンツデータの表示回数に応じて、コンテンツデータの取得先を切り替える。表示装置２が表示要求を受けたコンテンツデータを初めて表示する場合、表示装置２はサーバ４から該当するコンテンツデータを取得し、表示する。表示装置２が表示要求を受けたコンテンツデータを再表示する場合、表示装置２は、記憶領域から取得し、表示する。コンテンツデータを自装置の記憶領域から取得する場合、表示装置２は、自装置の通信部の消費電力を制御する。
【００１３】
表示装置２は、例えば、プロジェクタ、モニタなどである。
【００１４】
情報処理装置３は、ＤＭＣ（Digital Media Controller）として動作する。具体的には、情報処理装置３は表示装置２で表示させるコンテンツデータに関する情報を含む表示要求を表示装置２へ送信する。情報処理装置３は、例えば、ＰＣ（Personal Computer）、タブレットＰＣである。
【００１５】
サーバ４は、ＤＭＣ（Digital Media Server）として動作する。サーバ４は、コンテンツデータを格納しており、表示装置２の取得要求にしたがって該当するコンテンツデータを表示装置２へ送信する。サーバ４は、例えば、ＰＣである。
【００１６】
＜ハードウエア構成＞
図２は本実施形態における表示装置２のハードウエア構成例を示す図である。
【００１７】
表示装置２は、バス２００で相互に接続されているＲＡＭ（Random Access Memory）２０１、ＣＰＵ（Core Processing Unit）２０２、フラッシュメモリ２０３、通信Ｉ／Ｆ（InterFace）２０４、ＥＥＰＲＯＭ（Electrically Erasable Programmable Read-Only Memory）２０５、操作部２０６、映像入力部２０７、映像出力部２０８、ランプ２０９を有する。
【００１８】
ＲＡＭ２０１は、ＣＰＵ２０２によるプログラムの実行のため、一時的に読み出したプログラムやデータを記憶するために用いられる。ＣＰＵ２０２は、プログラムを実行させ、装置全体を制御するために用いられる。フラッシュメモリ２０３、ＥＥＰＲＯＭ２０５は、画像データ又は音声データなどの各種データを記憶するために用いられる。
【００１９】
通信Ｉ／Ｆ２０４は、データ伝送路やネットワークを介して情報処理装置３と画像データの送受信を行うために用いられる。操作部２０６は、ユーザからの操作を受けつけ、画像の明るさ調整、音量調整などの操作を行うために用いられる。
【００２０】
映像入力部２０７は、通信Ｉ／Ｆ２０４を介して接続される情報処理装置３から画像データの入力を受けつけるために用いられる。映像出力部２０８は、例えば、液晶表示装置であり、映像入力部２０７から受けつけた画像データを出力するために用いられる。ランプ２０９は、例えば、ハロゲンランプであり、発光し、投影レンズ（図示せず）を介して画像データをホログラムスクリーンなどの投影面に投影するために用いられる。
【００２１】
＜機能構成＞
図３は、本実施形態における、表示装置２の機能構成例を示す図である。表示装置２は、通信部２１、表示装置制御部２２、コンテンツデータ管理部２５、コンテンツデータ記憶部２６、表示部２７、電源制御部２８、及びコンテンツデータ圧縮部２９を有する。また、表示装置制御部２２は表示要求管理部２３及び判断部２４を有する。コンテンツデータ圧縮部２９は、画素サイズ圧縮部３０及びフレームレート変更部３１を有する。
【００２２】
通信部２１は所定の通信プロトコルを用いて情報処理装置３及びサーバ４との通信を制御する。
【００２３】
表示装置制御部２２は表示装置２の動作を制御する。
【００２４】
表示要求管理部２３は、情報処理装置３から送信されるコンテンツデータの表示要求を受信する。また、表示要求管理部２３は、受信した表示要求にしたがって、コンテンツデータの表示を表示部２７に対して指示する。図４は本実施形態における表示要求の例を示す図である。表示要求には、コンテンツの表示順序、及び表示するコンテンツデータのＵＲＬ情報が含まれる。コンテンツの表示順序はコンテンツデータを表示する順序を示す情報である。コンテンツデータのＵＲＬ情報は、コンテンツデータの格納先を示す情報である。コンテンツデータのＵＲＬ情報は、情報処理装置３からコンテンツデータが取得される場合、含まれない。図４に示す例では、表示するコンテンツデータが３つ存在しており、１番目に表示するコンテンツデータのＵＲＬ情報が、「ｘｘｘ／ｓａｍｐｌｅＡ」であることを示す。
【００２５】
また、表示要求管理部２３は、コンテンツデータを表示中、他の情報処理装置３からの表示要求があるか否かを確認する。表示要求の確認は、例えば、ポーリングによって、ネットワークを介して通信可能な情報処理装置３に対して行われる。
【００２６】
表示要求管理部２３は、表示要求に含まれているＵＲＬ情報に基づき、コンテンツデータの取得を行う。表示要求管理部２３は、表示要求を受けたコンテンツデータがコンテンツデータ記憶部２６に記憶されているか否かによってコンテンツデータの取得先を切り替える。
【００２７】
表示要求管理部２３は、表示要求が示すコンテンツデータがコンテンツデータ記憶部２６に記憶されていない場合、情報処理装置３又はサーバ４からコンテンツデータを取得し、記憶領域に保存する。
【００２８】
また、表示要求管理部２３は、該当するコンテンツデータがコンテンツデータ記憶部２６に記憶されている場合、記憶領域からコンテンツデータを取得する。その後、表示要求管理部２３は、判断部２４に対して通信部２１の電源状態の選択を要求する。
【００２９】
判断部２４は、情報処理装置３又はサーバ４から取得したコンテンツデータを記憶するか否かの判断を行う。コンテンツデータを記憶するか否かの判断は、例えば、コンテンツデータのデータ容量が予め設定されたデータ容量を超えているか否かによって行われる。この時、所定のデータ容量以上のコンテンツデータを記憶するように設定してよいし、所定のデータ容量以下のコンテンツデータを記憶するように設定してもよい。
【００３０】
また、判断部２４はコンテンツデータをコンテンツデータ記憶部２６に記憶する場合、記憶領域の空き容量又は表示装置２の画素サイズなどに基づいて、コンテンツデータを圧縮するか否かの判断を行う。
【００３１】
また、判断部２４は、通信部２１の電源状態を切り替える場合、通信部２１の電源をオフするか、セーブ状態にするかの判断を行う。通信部２１の電源をオフするか、セーブ状態にするかの判断は、例えば、表示させるコンテンツデータの再生時間に基づいて判断される。
【００３２】
コンテンツデータ管理部２５は、コンテンツデータ及びコンテンツデータに関する情報の登録、削除、変更など、コンテンツデータ記憶部２６に記憶されているコンテンツデータの管理を行う。また、コンテンツデータ管理部２５は、表示要求管理部２３の要求に応じて、自装置の記憶領域の中から該当するコンテンツデータを検索する。コンテンツデータの検索は、例えば、コンテンツデータに関する情報に含まれるコンテンツ名又はＵＲＬ情報を用いて行われる。
【００３３】
コンテンツデータ記憶部２６は、コンテンツデータ及びコンテンツデータに関する情報を記憶する。図５は、本実施形態におけるコンテンツデータ記憶部２６に記憶されているコンテンツデータに関する情報のデータ構成例を示す図である。
【００３４】
コンテンツデータに関する情報は、「画像名」、「ファイル形式」、「再生時間」、及び「ＵＲＬ（Uniform Resource Locator）」などの情報項目を有する。
【００３５】
コンテンツ名は、コンテンツデータの名称を示す情報である。コンテンツ名は、コンテンツデータを識別するために用いられる。
【００３６】
ファイル形式は、コンテンツデータのファイルの形式を示す情報である。ファイルの形式は、コンテンツデータが動画、静止画、もしくは音楽ファイルであることを示す。ファイル形式は、例えば、コンテンツデータの拡張子などから判断される。図５に示す例では、「ｓａｍｐｌｅＡ」は動画ファイルであることを示す。
【００３７】
再生時間は、コンテンツデータの再生時間を示す情報である。また、コンテンツデータが静止画である場合、再生時間が含まれていなくてもよい。
【００３８】
ＵＲＬは、コンテンツデータの格納先を示す情報である。また、ＵＲＬは、コンテンツデータの識別情報である。ＵＲＬは、コンテンツデータ記憶部内の検索に用いられる。
【００３９】
表示部２７は、表示要求管理部２３からの指示にしたがってコンテンツデータを表示する。
【００４０】
電源制御部２８は表示装置２の電源状態を制御する。電源制御部２８は、コンテンツデータ記憶部２６に記憶されているコンテンツデータの表示が要求されているなど、外部装置からコンテンツデータを取得する必要がない場合、通信部２１の電源状態をオフ又はセーブ状態にする。通信部２１の電源状態の切り替えは、判断部２４による判断結果に基づいて、オフ又はセーブ状態へ切り替えられる。
通信部２１の電源状態がオフされた状態とは、通信部２１の電力供給が遮断された状態である。通信部２１の電源状態がセーブされた状態とは、通信部２１への電力供給が制限され、通信部２１の一部の機能が制限された状態である。
【００４１】
コンテンツデータ圧縮部２９は、コンテンツデータ記憶部２６に保存する場合に判断部２４の判断結果に基づいて、コンテンツデータの圧縮を行う。
【００４２】
画素サイズ圧縮部３０は、コンテンツデータの解像度又は一画素あたりの階調を変更するなど画素サイズを圧縮することでコンテンツデータのデータ容量を圧縮する。コンテンツデータの圧縮は、例えば、コンテンツデータの解像度及び一画素あたりの階調を示す画素サイズが表示装置２の画素サイズを超えている場合、画素サイズを圧縮し、表示装置２の画素サイズにあわせる処理を行う。
【００４３】
フレームレート変更部３１は、コンテンツデータが動画である場合、フレームレートの変更を行う。フレームレートの変更は、例えば、コンテンツデータの記憶部の空き容量が少ない場合、フレームレートを下げる処理を行う。
【００４４】
上述した構成を有することにより、表示させるコンテンツデータが記憶領域に保存されているか否かによって、コンテンツデータの取得先を切り替えることができる。これにより、表示装置２の通信部２１の消費電力を制限することができる。
【００４５】
＜処理動作＞
図６は、本実施系における表示装置２が実行するコンテンツデータの取得処理の手順例を示す図である。
【００４６】
ステップＳ１で、表示装置２は、当該処理を開始する。
【００４７】
ステップＳ２で、表示要求管理部２３によって、コンテンツデータの表示要求が受信される。
【００４８】
ステップＳ３で、コンテンツデータ管理部２５によって、表示要求が示すコンテンツデータがコンテンツデータ記憶部２６に保持されているか否かの判断が行われる。判断結果がＹＥＳの場合、すなわち該当するコンテンツデータがコンテンツデータ記憶部２６に保持されている場合、ステップＳ４に進む。判断結果がＮＯの場合、すなわち該当するコンテンツデータがコンテンツデータ記憶部２６に保持されていない場合、ステップＳ６に進む。
【００４９】
ステップＳ４で、表示要求管理部２３によって、該当するコンテンツデータがコンテンツデータ記憶部２６から取得される。
【００５０】
ステップＳ５で、電源制御部２８によって、通信部２１の電源状態の切り替えが行われる。
【００５１】
ステップＳ６で、表示要求管理部２３によって、該当するコンテンツデータが、情報処理装置３又はサーバ４から取得される。
【００５２】
ステップＳ７で、取得したコンテンツデータをコンテンツデータ記憶部２６に記憶するか否かの判断が、判断部２４によって、実行される。判断結果がＹＥＳの場合、すなわちコンテンツデータを記憶すると判断された場合、ステップＳ８に進む。判断結果がＮＯの場合、すなわちコンテンツデータを記憶しないと判断された場合、ステップＳ９に進む。
【００５３】
ステップＳ８で、取得されたコンテンツデータは、コンテンツデータ管理部２５によって、コンテンツデータ記憶部２６に記憶される。この時、コンテンツデータ管理部２５は、表示要求及びコンテンツデータに基づいて、コンテンツデータに関する情報を生成し、コンテンツデータ記憶部２６に記憶してもよい。
【００５４】
ステップＳ９で、コンテンツデータが、表示部２７によって、表示され、当該処理が終了する。
【００５５】
図７は、コンテンツデータがコンテンツデータ記憶部２６に保持されている場合における、情報処理装置３から表示要求を受信してから、表示装置２が表示部２７にてコンテンツデータを表示するまでの流れを示すシーケンス図である。
【００５６】
ステップＳ１１で、情報処理装置３からコンテンツデータの表示要求が、通信部２１によって、受信される。
【００５７】
ステップＳ１２で、通信部２１から表示要求管理部２３に対して表示要求が送信される。
【００５８】
ステップＳ１３で、表示要求管理部２３からコンテンツデータ管理部２５に対して、コンテンツデータ記憶部２６に該当するコンテンツデータが存在するかの問い合わせが行われる。
【００５９】
ステップＳ１４で、コンテンツデータの検索が、コンテンツデータ管理部２５によって実行される。
【００６０】
ステップＳ１５で、コンテンツデータがコンテンツデータ記憶部２６から検出された場合、コンテンツデータは表示要求管理部２３へ送信される。
【００６１】
ステップＳ１６で、表示要求管理部２３は、判断部２４に対して、通信部２１の電源状態の選択を要求する。
【００６２】
ステップＳ１７で、判断部２４は、通信部２１の電源状態を決定する。この時、取得されたコンテンツデータの再生時間にしたがって、切り替える電源状態を選択してもよい。例えば、再生時間が３０秒以上ある場合、通信部２１の電源状態をオフの状態にする。再生時間が３０秒未満である場合、通信部２１の電源状態をセーブした状態にする。
【００６３】
ステップＳ１８で、判断部２４から電源制御部２８に対して、通信部２１の電源状態の切り替えが要求される。
【００６４】
ステップＳ１９で、電源制御部２８によって、通信部２１の電源状態が指定された電源状態へ移行される。
【００６５】
ステップＳ２０で、通信部２１の電源状態が切り替えられた後、表示要求管理部２３から表示部２７に対して、コンテンツデータの表示が要求される。
【００６６】
ステップＳ２１で、コンテンツデータが、表示部２７によって、表示される。
【００６７】
図８は本実施形態における複数のコンテンツデータの表示が要求されている場合における、コンテンツデータの取得処理の手順例を示す図である。
【００６８】
ステップＳ３０で、当該処理がスタートする。
【００６９】
ステップＳ３１で、コンテンツデータの表示が、表示部２７によって、開始される。
【００７０】
ステップＳ３２で、表示中のコンテンツデータが終了する前、例えば、表示終了の３０秒前、表示要求管理部２３によって、コンテンツデータの取得が行われる。
【００７１】
ステップＳ３３で、コンテンツデータ記憶部２６に、次に表示するコンテンツデータが保持されているかの確認が、コンテンツデータ管理部２５によって、行われる。判断結果がＹＥＳの場合、すなわち該当するコンテンツデータがコンテンツデータ記憶部２６に保持されている場合、ステップＳ３４に進む。判断結果がＮＯの場合、すなわち該当するコンテンツデータがコンテンツデータ記憶部２６に保持されていない場合、ステップＳ３７に進む。
【００７２】
ステップＳ３４で、該当するコンテンツデータが、表示要求管理部２３によって、コンテンツデータ記憶部２６から取得される。
【００７３】
ステップＳ３５で、通信部２１の電源状態がオフ又はセーブ状態か否かの判断が、電源制御部２８によって、行われる。判断結果がＹＥＳの場合、すなわち通信部２１の電源状態がオフ又はセーブ状態である場合、ステップＳ４２に進む。判断結果がＮＯの場合、すなわち通信部２１の電源状態がオフ又はセーブ状態でない場合、ステップＳ３６に進む。
【００７４】
ステップＳ３６で、通信部２１の電源状態が、電源制御部２８によって、オフ又はセーブ状態へ移行される。
【００７５】
ステップＳ３７で、通信部２１の電源状態がオフ又はセーブ状態か否かの判断が、電源制御部２８によって、行われる。判断結果がＹＥＳの場合、すなわち通信部２１の電源状態がオフ又はセーブ状態である場合、ステップＳ３８に進む。判断結果がＮＯの場合、すなわち通信部２１の電源状態がオフ又はセーブ状態でない場合、ステップＳ３９に進む。
【００７６】
ステップＳ３８で、通信部２１の電源状態が外部装置との通信が可能な状態へ移行される。
【００７７】
ステップＳ３９で、該当するコンテンツデータが、表示要求管理部２３によって、情報処理装置３又はサーバ４から取得される。
【００７８】
ステップＳ４０で、取得したコンテンツデータをコンテンツデータ記憶部２６に記憶するか否かの判断が、判断部２４によって、行われる。判断結果がＹＥＳの場合、すなわち、コンテンツデータを記憶すると判断した場合、ステップＳ４１に進む。判断結果がＮＯの場合、すなわち、コンテンツデータを記憶しないと判断した場合、ステップＳ４２に進む。
【００７９】
ステップＳ４１で、取得されたコンテンツデータが、コンテンツデータ管理部２５によって、コンテンツデータ記憶部２６に記憶される。
【００８０】
ステップＳ４２で、コンテンツデータの表示が終了する。
【００８１】
ステップＳ４３で、取得されたコンテンツデータが、表示部２７によって、表示される。その後、当該処理が終了する。
【００８２】
図９は、表示装置２が実行する割り込み要求の確認処理の手順例を示すフローチャート図である。
【００８３】
ステップＳ５０で、コンテンツが取得され、当該処理が開始する。
【００８４】
ステップＳ５１で、表示するコンテンツデータの再生時間が、所定の時間を超えるか否かの判断が、表示要求管理部２３によって、行われる。図９において、コンテンツデータの再生時間が１０分間を超えるか否かの判断が行われる。
【００８５】
判断結果がＹＥＳの場合、すなわち、再生時間が１０分を超える場合、ステップＳ５２に進む。判断結果がＮＯの場合、すなわち、再生時間が１０分を超えない場合、ステップＳ６０に進み、当該処理が終了する。
【００８６】
ステップＳ５２で、通信部２１の電源状態がオフ又はセーブ状態であるか否かの判断が、電源制御部２８によって、行われる。判断結果がＹＥＳの場合、すなわち通信部２１の電源状態がオフ又はセーブ状態である場合、ステップＳ５４に進む。判断結果がＮＯの場合、すなわち通信部２１の電源状態がオフ又はセーブ状態でない場合、ステップＳ５３に進む。
【００８７】
ステップＳ５３で、通信部２１の電源状態が、電源制御部２８によって、オフ又はセーブ状態に移行される。
【００８８】
ステップＳ５４で、コンテンツデータが表示されてから２分、もしくは他の情報処理装置３からの割り込み要求の確認処理を実行してから２分経過すると、通信部２１の電源状態が、電源制御部２８によって、外部装置との通信が可能な状態へ移行される。
【００８９】
ステップＳ５５で、コンテンツデータの表示の割り込み要求があるか否かの確認が、表示要求管理部２３によって、行われる。割り込み要求があるか否かの確認は、例えば、ポーリング処理により、接続可能な情報処理に対して行われる。なお、表示装置２に対してコンテンツデータの表示の割り込み要求がある情報処理装置３は、割り込み要求があるか否かの確認信号を受信後、表示装置２に対して表示要求を送信する。（割り込み要求フラグを立てたものを送信）。
【００９０】
ステップＳ５６で、コンテンツデータの表示の割り込み要求があるか否かの判断が、表示要求管理部２３によって、行われる。判断結果がＹＥＳの場合、すなわちコンテンツデータの表示の割り込み要求がある場合、ステップＳ５８に進む。コンテンツデータの表示の割り込み要求がない場合、ステップＳ５７に進む。
【００９１】
ステップＳ５７で、通信部２１の電源状態が、電源制御部２８によって、オフ又はセーブ状態に移行され、当該処理が終了する。
【００９２】
ステップＳ５８で、表示部２７は、コンテンツデータの表示を終了し、当該処理が終了する。当該処理が終了後、次に表示するコンテンツデータの取得処理が実行される。
【００９３】
図１０は、本実施形態における取得したコンテンツデータを保存するか否かの判断処理の手順例を示す図である。
【００９４】
ステップＳ７０で、情報処理装置３又はサーバ４からコンテンツデータの取得を行うと判断された場合、当該処理が開始する。
【００９５】
ステップＳ７１で、情報処理装置３又はサーバ４から該当するコンテンツデータの取得を開始する。
【００９６】
ステップＳ７２で、情報処理装置３又はサーバ４から受信したコンテンツデータの画素サイズが表示装置２の画素サイズを超えるか否かの判断が、判断部２４によって、行われる。判断結果がＹＥＳの場合、すなわちコンテンツデータの画素サイズが表示装置２の画素サイズを上回る場合、ステップＳ７３に進む。判断結果がＮＯの場合、すなわちコンテンツデータの画素サイズが表示装置２の画素サイズを上回らない場合、ステップＳ７４へ進む。
【００９７】
ステップＳ７３で、コンテンツデータの画素サイズが、画素サイズ圧縮部３０によって、表示装置２の画素サイズを上回らないサイズに変更される。
【００９８】
ステップＳ７４で、コンテンツデータは、コンテンツデータ管理部２５によって、表示装置２に保存され、当該処理は終了する。
【００９９】
なお、本実施形態において、取得したコンテンツデータを表示装置２に記憶するか否かの判断、コンテンツデータを圧縮するか否かの判断、及び切り替える電源情報の判断などを行う判断部２４を表示装置が備える例を示したが、情報処理装置３又はサーバ４がこれらの判断を行う構成であってもよい。
【０１００】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【０１０１】
＜総括＞
以上、本発明の好適な実施の形態は、本発明の範囲を限定するものではなく、特許請求の範囲に定義された本発明の広範な趣旨および範囲から逸脱することなく、様々な修正および変更を加えることができることは明らかである。すなわち、具体例の詳細および添付の図面により本発明が限定されるものと解釈してはならない。
【符号の説明】
【０１０２】
１      表示システム
２      表示装置
３      情報処理装置
４      サーバ
２１    通信部
２２    表示装置制御部
２３    表示要求管理部
２４    判断部
２５    コンテンツデータ管理部
２６    コンテンツデータ記憶部
２７    表示部
２８    電源制御部
２９    コンテンツデータ圧縮部
３０    画像データ圧縮部
３１    フレームレート変更部
２０１  ＲＡＭ
２０２  ＣＰＵ
２０３  フラッシュメモリ
２０４  通信Ｉ／Ｆ
２０５  ＥＥＰＲＯＭ
２０６  操作部
２０７  映像入力部
２０８  映像出力部
２０９  ランプ
【先行技術文献】
【特許文献】
【０１０３】
【特許文献１】特開２００７−０２００３９号公報
【図１】
2016004546.tif 000003
【図２】
2016004546.tif 000004
【図３】
2016004546.tif 000005
【図４】
2016004546.tif 000006
【図５】
2016004546.tif 000007
【図６】
2016004546.tif 000008
【図７】
2016004546.tif 000009
【図８】
2016004546.tif 000010
【図９】
2016004546.tif 000011
【図１０】
2016004546.tif 000012